Podtech/llm-jp-corpus-v4-ja_patent huggingface dataset:
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
デジタル作品の特定のコンテンツに関して複数の注釈を受信するステップと、
デジタル作品に関連する注釈を記憶するステップと、
１つまたは複数の記憶された注釈にアクセスするための要求を受信するステップと、
要求に応答して、注釈の一覧表を提供するステップであって、一覧表は基準を参照することにより決定される順序で複数の注釈を提示する前記ステップと、
１つまたは複数の記憶された注釈にアクセスするための要求に対応する許可証明書を受信するステップと、
許可証明書が有効であることを認証するステップと、
許可証明書が有効である場合、デジタル作品に関連してデジタル作品の１つまたは複数の注釈を提供するステップと
を含む、デジタル作品の注釈を提供するためのコンピュータ実施された方法。
【請求項２】
デジタル作品の注釈がグラフィック形式で受信される、請求項１に記載の方法。
【請求項３】
デジタル作品の注釈が手書き形式で受信される、請求項２に記載の方法。
【請求項４】
注釈がデジタル作品内のテキストの強調表示を含む、請求項１に記載の方法。
【請求項５】
注釈が、デジタル作品の表示と同時に閲覧可能なように注釈が提供される、請求項１に記載の方法。
【請求項６】
注釈は、通常隠されており、デジタル作品内の特定のコンテンツの近くにカーソルまたはポインタを配置した場合に閲覧可能になるように注釈が提供される、請求項１に記載の方法。
【請求項７】
デジタル作品が音声作品または視聴覚作品であって、デジタル作品内の特定のコンテンツが、デジタル作品の再生のために提供される再生制御と共に表示されるインジケータによって識別される、請求項１に記載の方法。
【請求項８】
注釈が画像を含む、請求項１に記載の方法。
【請求項９】
許可証明書が、要求された注釈に特定である、請求項１に記載の方法。
【請求項１０】
基準が、注釈の前の要求者によって割り当てられた注釈の順位である、請求項１に記載の方法。
【請求項１１】
注釈は、関係するデジタル作品と組み合わされる場合、デジタル作品にアクセスすると、アクセス可能になる、請求項１に記載の方法。
【請求項１２】
注釈が関係するデジタル作品の購入時に許可証明書が提供される、請求項１に記載の方法。
【請求項１３】
許可証明書がデジタル作品の注釈の寄稿に対して提供される、請求項１に記載の方法。
【請求項１４】
請求項１から１３のいずれかに記載の方法を実行するためのコンピュータプログラム。
【請求項１５】
１つまたは複数の画像を含む、デジタル作品の第１の表現を取得するステップと、
デジタル作品の特定のコンテンツが表示されることを可能にする形式でデジタル作品のコンテンツを含む、デジタル作品の第２の表現を取得するステップであって、特定のコンテンツは、特定のコンテンツが表現される１つまたは複数の画像内の１つまたは複数の位置と相関可能である前記ステップと、
デジタル作品の表示される特定のコンテンツに関してデジタル作品の注釈を受信するステップと、
デジタル作品に関連して注釈をユーザに提供するステップと
を含む、デジタル作品の注釈を提供するためのコンピュータ実施方法。
【請求項１６】
注釈が、ユーザに対してデジタル作品の１つまたは複数の画像上に重なるように出現するように構成される、請求項１５に記載の方法。
【請求項１７】
注釈が、デジタル作品の１つまたは複数の画像に隣接して出現するように構成される、請求項１５に記載の方法。
【請求項１８】
デジタル作品がソースから発生し、注釈の作者とデジタル作品のソースとが異なる、請求項１５に記載の方法。
【請求項１９】
デジタル作品の注釈が別の作者の注釈をさらに受ける、請求項１５に記載の方法。
【請求項２０】
複数のソースからデジタル作品を受信するコンピュータサブシステムと、
複数の作者からデジタル作品の注釈を受信するコンピュータサブシステムと、
複数のユーザから注釈を求める要求を受信し、要求しているユーザに注釈を配信するコンピュータサブシステムと、
注釈の引渡しに対してユーザから対価を受け取り、配信された注釈の作者に対価を分配することを促すコンピュータサブシステムとを含み、
作者に分配される対価が、注釈が引き渡されるユーザからの満足の表示を条件とする、デジタル作品の注釈のための市場を提供するように構成されたコンピュータシステム。
【請求項２１】
ユーザから受け取られた対価が、ユーザから受信された有効な許可証明書によって表現される、請求項２０に記載のコンピュータシステム。
【請求項２２】
ユーザから受け取られた対価が、指定された処置のユーザによる実行である、請求項２０に記載のコンピュータシステム。
【請求項２３】
ユーザから受け取られた対価が、デジタル作品にアクセスするためにユーザによって支払われた対価内に含まれる、請求項２０に記載のコンピュータシステム。
【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
プログラマブルデバイスのユーザプログラミングイベントをプレビューする方法であって、前記イベントはタイマリストに記憶されると共にタイマの経過によってトリガされ、前記方法は、ユーザの要求により、前記イベントをトリガする前記タイマが経過されているかのように、前記記憶されたユーザプログラミングイベントを処理する動作をシミュレートするステップを有する方法。
【請求項２】
前記記憶されたユーザプログラミングイベントを処理する動作のシミュレーションは、前記タイマリストにおいて前選択されたイベントから開始される請求項１に記載の方法。
【請求項３】
前記記憶されたユーザプログラミングイベントを処理する動作は、リアルタイムにシミュレートされる請求項１に記載の方法。
【請求項４】
前記記憶されたユーザプログラミングイベントを処理する動作は、加速されたモードでシミュレートされる請求項１に記載の方法。
【請求項５】
前記記憶されたユーザプログラミングイベントを処理する動作のシミュレーションは、前記イベント内の予め規定された動作を、予め規定された期間若しくはユーザにより規定された期間に制限するステップ、前記動作をユーザ命令によって中止するステップ、又は前記動作がシミュレートされることを排除するステップ、若しくは選択的に前記ユーザに情報を表示することによって前記命令を置換するステップを有する請求項１に記載の方法。
【請求項６】
前記記憶されたユーザプログラミングイベントを処理する動作のシミュレーションの間に、処理情報が前記ユーザに表示される請求項１に記載の方法。
【請求項７】
前記記憶されたユーザプログラミングイベントを処理する動作のシミュレーションの間に競合チェックが実行され、競合は、選択的に、当該競合を解消するための提案と共に前記ユーザに報告される請求項１に記載の方法。
【請求項８】
少なくとも一つのタイマ及び前記少なくとも一つのタイマの経過によってトリガされるイベントを備えるユーザプログラマブルタイマリストを記憶するためのメモリを有するプログラマブルデバイスであって、前記プログラマブルデバイスは、前記ユーザによって活性化され得るシミュレーションモードで動作し、前記シミュレーションモードにおいて、前記タイマリストに記憶される前記ユーザプログラミングイベントを処理する動作は、前記イベントをトリガする前記タイマが経過されているかのようにシミュレートされるプログラマブルデバイス。  
【請求項９】
前記シミュレーションモードにおいて、前記記憶されたユーザプログラミングイベントを処理する動作のシミュレーションは、前記タイマリストにおいて前選択されたイベントから開始される請求項８に記載のプログラマブルデバイス。
【請求項１０】
前記シミュレーションモードにおいて、前記記憶されたユーザプログラミングイベントを処理する動作は、リアルタイムにシミュレートされる請求項８に記載のプログラマブルデバイス。
【請求項１１】
前記シミュレーションモードにおいて、前記記憶されたユーザプログラミングイベントを処理する動作は、加速されたモードでシミュレートされる請求項８に記載のプログラマブルデバイス。
【請求項１２】
前記記憶されたユーザプログラミングイベントを処理する動作のシミュレーションは、前記イベント内の予め規定された動作を、予め規定された期間若しくはユーザにより規定された期間に制限するステップ、前記動作をユーザ命令によって中止するステップ、又は前記動作がシミュレートされることを排除するステップ、若しくは選択的に前記ユーザに情報を表示することによって前記命令を置換するステップを有する請求項８に記載のプログラマブルデバイス。
【請求項１３】
前記記憶されたユーザプログラミングイベントを処理する動作のシミュレーションの間に、処理情報が前記ユーザに表示される請求項８に記載のプログラマブルデバイス。
【請求項１４】
前記シミュレーションモードにおいて、競合チェックが実行され、競合は、選択的に、当該競合を解消するための提案と共に前記ユーザに報告される請求項８に記載のプログラマブルデバイス。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
動画データと、
少なくとも一つの検索キーワードに対する情報を利用して、前記動画データをシーン別に検索するタイトルシーンの検索を可能にするメタデータと、を含み、
前記シーンはプレイリスト内のコンテンツを記述する単位であり、
前記メタデータは、前記各シーンの開始点を指定するのに使用されるエントリーポイントを含み、
前記エントリーポイントは前記プレイリスト上で時間順に順次に配列されることを特徴とする記録媒体。
【請求項２】
前記動画データは、ムービータイトルであることを特徴とする請求項１に記載の記録媒体。
【請求項３】
前記メタデータは、前記動画データの再生単位であるプレイリスト単位で定義されることを特徴とする請求項１に記載の記録媒体。
【請求項４】
前記シーンは、前記プレイリストに指定された特定エントリーポイントのうち隣接する二つのエントリーポイント間のコンテンツで表れることを特徴とする請求項１に記載の記録媒体。
【請求項５】
ユーザが検索キーワードを利用してコンテンツを検索すれば、検索結果は、メタデータの検索キーワードに対する情報が入力された検索キーワードと一致するシーンに含まれたエントリーポイントの集合で表れることを特徴とする請求項４に記載の記録媒体。
【請求項６】
前記メタデータは、各シーンの再生持続期間についての情報を含むことを特徴とする請求項１に記載の記録媒体。
【請求項７】
一つのシーンは、複数の前記エントリーポイントを経時的に配列した場合、一つのエントリーポイントから前記再生持続期間ほど経過したポイント間の区間と定義されることを特徴とする請求項６に記載の記録媒体。
【請求項８】
ユーザが検索キーワードを利用してコンテンツを検索すれば、検索結果のうち、ユーザが選択したシーンのエントリーポイントから再生し始めてプレイリストの終端まで再生されることを特徴とする請求項６に記載の記録媒体。
【請求項９】
ユーザが検索キーワードを利用してコンテンツを検索すれば、検索結果のうち、ユーザが選択したシーンのエントリーポイントから再生し始めて再生持続期間が経過するまで再生し、次の検索されたシーンにジャンプして再生されることを特徴とする請求項６に記載の記録媒体。
【請求項１０】
ユーザが検索キーワードを利用してコンテンツを検索すれば、検索結果は、ユーザの選択を待たずに連続的に再生されることを特徴とする請求項６に記載の記録媒体。
【請求項１１】
ユーザが検索キーワードを利用してコンテンツを検索すれば、検索結果のうち、ユーザの選択したシーンのエントリーポイントから再生し始めて再生持続期間が経過するまで再生され、再生は、停止することを特徴とする請求項６に記載の記録媒体。
【請求項１２】
前記メタデータは、前記シーン別に支援されるアングルについての情報をさらに含むことを特徴とする請求項１に記載の記録媒体。
【請求項１３】
前記動画データがシングルアングルデータである場合、各シーンは、前記エントリーポイントを利用して区別でき、前記アングルについての情報は、使われないことを特徴とする請求項１２に記載の記録媒体。
【請求項１４】
一つの検索キーワードについてのタイトルシーン検索結果のうち、全てのエントリーポイントは重複されないことを特徴とする請求項１３に記載の記録媒体。
【請求項１５】
前記動画データがマルチアングルデータである場合、各シーンは、前記エントリーポイント及び前記アングルについての情報を利用して区別されることを特徴とする請求項１２に記載の記録媒体。
【請求項１６】
一つの検索キーワードについてのタイトルシーン検索結果のうち、少なくとも一つのエントリーポイントは、重複されることを特徴とする請求項１５に記載の記録媒体。
【請求項１７】
前記検索キーワードに対する情報は、シーンタイプ単位の検索や、キャラクター単位の検索、アクター単位の検索、製作者が任意に定義できる検索基準による検索のためのキーワードを含むことを特徴とする請求項１に記載の記録媒体。
【請求項１８】
前記メタデータは、前記動画データと別途のファイルで記録されることを特徴とする請求項１に記載の記録媒体。
【請求項１９】
記録されたＡＶデータのデータ構造を管理するために、複数の層で構成された記録媒体において、
ＡＶデータの再生単位である一つ以上のプレイリストと、
前記ＡＶデータにタイトルシーン検索機能を提供するために、各プレイリストごとに生成されたメータデータと、を含み、
前記メタデータは、シーン別に定義され、前記シーンはプレイリスト内のコンテンツを記述する単位であり、
前記メタデータは、対応シーンに適用される少なくとも一つの検索キーワードについての情報と対応シーンの開始点を指定するのに使用されるエントリーポイントを含み、
前記エントリーポイントは前記プレイリスト上で時間順に順次に配列されることを特徴とする記録媒体。
【請求項２０】
前記メタデータは、前記対応シーンの再生持続時間についての情報をさらに含むことを特徴とする請求項１９に記載の記録媒体。
【請求項２１】
前記検索キーワードは、シーンタイプに関する検索キーワード、前記対応シーンに出る一つ以上のキャラクターに関する検索キーワード、前記対応キャラクターを演技する一つ以上のアクターに関する検索キーワード、プロデューサの定義する検索範囲に関する検索キーワードのうち少なくとも一つを含むことを特徴とする請求項１９に記載の記録媒体。
【請求項２２】
情報記録媒体のデータを処理する装置において、
前記情報記録媒体から動画データ及びメタデータを読み出す読出部と、
少なくとも一つの検索キーワードに対する情報を利用して、前記メタデータから前記動画データをシーン別に検索するタイトルシーンの検索を行う検索部を含み、
前記シーンは、プレイリスト内のコンテンツを記述する単位であり、
前記メタデータは、前記各シーンの開始点を指定するのに使用されるエントリーポイントを含み、
前記エントリーポイントは前記プレイリスト上で時間順に順次に配列されることを特徴とする装置。
【請求項２３】
前記メタデータは、前記各シーンの再生持続時間についての情報をさらに含むことを特徴とする請求項２２に記載の装置。
【請求項２４】
前記メタデータは、前記各シーンによって支援されるアングルについての情報をさらに含むことを特徴とする請求項２２に記載の装置。
【手続補正書】
【提出日】平成20年12月26日(2008.12.26)
【手続補正１】
【補正対象書類名】特許請求の範囲
【補正対象項目名】請求項２４
【補正方法】変更
【補正の内容】
【請求項２４】
無線周波数信号に対して動作するように構成された無線周波数（ＲＦ）トランシーバと；
前記ＲＦ回路に結合されたディジタル処理回路と；
前記ＲＦトランシーバのアクティブ動作モード中に、前記ディジタル処理回路と記憶装置との間で通信されるデータをバッファ記憶するように構成されたインタフェース回路とを具えた移動電話機において、
前記ディジタル処理回路が、前記記憶装置から受信した認証データを処理するように構成された処理ユニットを含み、
前記処理ユニットが、前記ＲＦトランシーバのアクティブ動作モード中にディセーブル状態にされ、
前記ＲＦトランシーバ、前記ディジタル処理ユニット、及び前記インタフェース回路が、単一の集積回路チップ上に製造されている
ことを特徴とする移動電話機。
【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
ディジタル画像化装置によって生成されたディジタル画像の品質を向上させる方法であって、
（a）ディジタル画像化装置を用いて同じ情景に関する少なくとも2つのオリジナルのディジタル画像をそれぞれ異なる照明条件下で取得し、それぞれのディジタル画像について複数の画素を生成させるステップと；
（b）異なる照明条件下で取得された上記ディジタル画像のうちの少なくとも2つのディジタル画像の画素値を用いて両者の差の値を生成させるステップと；
（c）上記ディジタル画像のうちの1つのディジタル画像の画素値を、対応する差の値に合わせて変更するステップを含む方法。
【請求項２】
上記ディジタル画像の使用された画素値が、元になる情景から受け取った光の強度に対応する対数関係を有する、請求項1に記載の方法。
【請求項３】
上記ディジタル画像の画素値が、赤成分と緑成分と青成分を持ち、上記変更ステップに、画素値の色を変化させる操作が含まれる、請求項1に記載の方法。
【請求項４】
（a）第1のディジタル画像と第2のディジタル画像に関し、赤成分、緑成分、青成分のそれぞれからの輝度チャネルの画素値を計算するステップと；
（b）上記差の値を、対応する輝度チャネルの画素値間の差として計算するステップをさらに含む、請求項3に記載の方法。
【請求項５】
上記変更ステップに、輝度チャネルの差に対して閾値ステップを実施し、明るさに基づいて異なる照明条件を分離する操作が含まれる、請求項1に記載の方法。
【請求項６】
上記照明条件が、フラッシュあり情景露光とフラッシュなし情景露光であり、ステップ（c）に、ディジタル画像のフラッシュ部分に対して補正因子計算ステップを実施する操作が含まれる、請求項1に記載の方法。
【請求項７】
上記照明条件が、フラッシュあり情景露光とフラッシュなし情景露光であり、ステップ（c）に、ディジタル画像の非フラッシュ部分に対して補正因子計算ステップを実施する操作が含まれる、請求項1に記載の方法。
【請求項８】
上記照明条件が、フラッシュあり情景露光とフラッシュなし情景露光であり、ステップ（c）に、ディジタル画像のフラッシュ部分の補正値と、ディジタル画像の非フラッシュ部分の補正値とに基づいてホワイト・バランス補正を実施する操作が含まれる、請求項1に記載の方法。
【請求項９】
ディジタル画像化装置によって生成されたディジタル画像の品質を向上させる方法であって、
（a）ディジタル画像化装置を用いて同じ情景に関する少なくとも2つのオリジナルのディジタル画像を、少なくとも1つのディジタル画像はフラッシュを用いて、少なくとも1つのディジタル画像はフラッシュなしで取得し、それぞれのディジタル画像について複数の画素を生成させるステップと；
（b）上記ディジタル画像のうちの少なくとも1つのディジタル画像の画素値を、取得した2つ以上のディジタル画像に合わせて変更するステップを含む方法。
【請求項１０】
ディジタル画像化装置によって生成されたディジタル画像の品質を向上させる方法であって、
（a）ディジタル画像化装置を用いて同じ情景に関する少なくとも2つのオリジナルのディジタル画像を、少なくとも1つのディジタル画像は第1の照明条件下で、少なくとも1つの他のディジタル画像は第2の照明条件下で取得し、それぞれのディジタル画像に複数の画素を持たせるステップと；
（b）1つのディジタル画像の画素値をセグメント化するが、そのとき、取得した上記2つ以上のディジタル画像の対応する画素値に基づき、そのうちの1つのディジタル画像を異なる領域にセグメント化するステップと；
（c）上記ディジタル画像のうちの少なくとも1つのディジタル画像の画素値を、セグメント化した画素値に合わせて変更するステップを含む方法。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
送信元ノード（Ａ）と宛先ノード（Ｂ）との間の、無線メッシュネットワーク（図６）を介したパケットの経路を選択する方法であって、
前記送信元ノードから前記宛先ノードへの複数の経路における各ノードホップを介して前記パケットを送信することに関連する干渉エネルギーを判定するステップと、
各経路に対する合成干渉エネルギーを生成するために、各ホップに対する前記干渉エネルギーを合成するステップと、
各経路に対する前記合成干渉エネルギーに基づいて、前記複数の経路から１つの経路を選択するステップと、
を備え、
前記干渉エネルギーを判定する前記ステップは、前記送信元ノードから前記宛先ノードへの複数の経路における各ホップを介して前記パケットを送信することに関連する送信時間を判定するステップを含み、
前記送信時間は、前記パケットのサイズと、前記パケットを送信することに関連するオーバーヘッドと、前記ホップの現在の無線状態に依存し、且つ前記ホップを介して前記パケットを送信することに関連するビットレートと、前記ホップを介して送信することに関連する再送信確率と、を考慮することを特徴とする方法。
【請求項２】
前記干渉エネルギーを合成する前記ステップは、前記干渉エネルギーを合計するステップを含み、
前記１つの経路は、最小の合計干渉エネルギーを有するものが選択される
ことを特徴とする請求項１に記載の方法。
【請求項３】
前記各ホップそれぞれに対して、当該ホップを介して前記パケットを送信することに関連する干渉によって影響を受けるノードの数を判定するステップと、
対応するホップ結果を生成するために、各ホップに対する、前記送信時間、及び影響を受けるノードの前記数を合成するステップと、
各経路について、前記ホップ結果を合成するステップと、
前記合成された結果に基づいて、前記複数の経路から１つの経路を選択するステップと、
を更に備えることを特徴とする請求項１に記載の方法。
【請求項４】
前記送信時間、及びノードの前記数を合成する前記ステップは、前記送信時間とノードの前記数とを掛け合わせるステップを含み、
前記ホップ結果を合成する前記ステップは、当該結果を合計するステップを含み、
前記１つの経路は、最小の合計された結果を有するものが選択される
ことを特徴とする請求項３に記載の方法。
【請求項５】
影響を受けるノードの前記数は、前記パケットが前記ホップを介して送信される際の電力レベルと、当該電力レベルを１つ以上の周囲のノードに対して発生される干渉に変換する伝播関数とに基づいて推定されることを特徴とする請求項３に記載の方法。
【請求項６】
影響を受けるノードの前記数は、前記パケットが前記ホップを介して送信される際の電力レベルと、前記干渉が他のノードに影響を与える、受信機の閾値と、当該電力レベルを１つ以上の周囲のノードに対して発生される干渉に変換する伝播関数とに基づいて推定されることを特徴とする請求項３に記載の方法。
【請求項７】
影響を受けるノードの前記数は、干渉により影響を受けているノードもまた干渉を受けている時間に送信すべきデータを有する確率に、更に基づくことを特徴とする請求項６に記載の方法。
【請求項８】
前記確率は、送信ノードが経験した、平均チャネルアクティビティに基づいて推定されることを特徴とする請求項７に記載の方法。
【請求項９】
送信元ノード（Ａ）と宛先ノード（Ｂ）との間の、複数のノードによる無線メッシュネットワーク（図６）を介したパケットの経路を選択する装置であって、
前記送信元ノードから前記宛先ノードへの複数の経路における各ホップを介して前記パケットを送信することに関連する送信時間に基づいて、前記送信元ノードから前記宛先ノードへの複数の経路における各ノードホップを介して前記パケットを送信することに関連する干渉エネルギーを判定し、
各経路に対する合成干渉エネルギーを生成するために、各ホップに対する前記干渉エネルギーを合成し、
各経路に対する前記合成干渉エネルギーに基づいて、前記複数の経路から１つの経路を選択する
ように構成される電子回路（２０，２６，３６）を備え、
前記送信時間は、前記パケットのサイズと、前記パケットを送信することに関連するオーバーヘッドと、前記ホップの現在の無線状態に依存し、且つ前記ホップを介して前記パケットを送信することに関連するビットレートと、前記ホップを介して送信することに関連する再送信確率と、を考慮することを特徴とする装置。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
ガス放電レーザシステムに発生したレーザ出力光パルスにおける帯域幅を制御するためのガス放電レーザシステム帯域幅制御機構であって、
レーザ出力光パルスに対する中心波長を選択するように作動する分散光学要素を含み、かつ調節可能な波面形状を有し、該選択中心波長を取り囲むスペクトルの帯域幅に及ぼす該波面形状の影響が、入射面の選択曲率に対する該帯域幅の応答をプロットする曲線によって表される入射面を更に含む能動帯域幅調節機構、
を含む帯域幅コントローラと、
前記帯域幅調節機構の前記表面に入射する前記レーザ光の前記波面に及ぼすレーザシステム作動の影響のモデルに基づいて帯域幅熱遷移補正を実施するアルゴリズムを利用して、前記調節可能な波面形状を制御する帯域幅コントローラと、
を含み、
前記帯域幅コントローラアルゴリズムは、前記入射面の曲率の選択された変化に対する前記帯域幅応答が比較的線形である前記曲線の領域において較正され、該較正された帯域幅コントローラアルゴリズムは、該入射面の曲率の選択された変化に対する該帯域幅応答が比較的非線形である該曲線の領域における帯域幅熱遷移補正のために使用される、
ことを特徴とするガス放電レーザシステム帯域幅制御機構。
【請求項２】
前記コントローラアルゴリズムは、前記ガス放電レーザシステムの光学列の少なくとも一部分における電力集中履歴の関数を含む、
ことを更に含むことを特徴とする請求項１に記載の機器。
【請求項３】
前記コントローラアルゴリズムは、前記ガス放電レーザシステムの光学列の少なくとも一部分における電力集中履歴の線形関数を含む、
ことを更に含むことを特徴とする請求項１に記載の機器。
【請求項４】
前記コントローラアルゴリズムは、各々がそれぞれの減衰時間定数及びそれぞれの係数を含む複数の減衰関数の組合せを含む、
ことを更に含むことを特徴とする請求項１に記載の機器。
【請求項５】
前記コントローラアルゴリズムは、各々がそれぞれの減衰時間定数及びそれぞれの係数を含む複数の減衰関数の組合せを含む、
ことを更に含むことを特徴とする請求項２に記載の機器。
【請求項６】
前記コントローラアルゴリズムは、各々がそれぞれの減衰時間定数及びそれぞれの係数を含む複数の減衰関数の組合せを含む、
ことを更に含むことを特徴とする請求項３に記載の機器。
【請求項７】
前記複数の減衰関数は、３つまでの別々の減衰関数を含む、
ことを更に含むことを特徴とする請求項４に記載の機器。
【請求項８】
前記複数の減衰関数は、３つまでの別々の減衰関数を含む、
ことを更に含むことを特徴とする請求項５に記載の機器。
【請求項９】
前記複数の減衰関数は、３つまでの別々の減衰関数を含む、
ことを更に含むことを特徴とする請求項６に記載の機器。
【請求項１０】
前記複数の減衰関数の各々は、異なる減衰時間定数及び異なる係数を含む、
ことを更に含むことを特徴とする請求項７に記載の機器。
【請求項１１】
前記複数の減衰関数の各々は、異なる減衰時間定数及び異なる係数を含む、
ことを更に含むことを特徴とする請求項８に記載の機器。
【請求項１２】
前記複数の減衰関数の各々は、異なる減衰時間定数及び異なる係数を含む、
ことを更に含むことを特徴とする請求項９に記載の機器。
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
光源と、前記光源からの光を受光するために配置された第１の表面を有する光学フィルムとを含む光学装置において、前記光学フィルムが前記光源とは反対側を向いた第２の表面を含み、前記第２の表面が密集した実質的に半球形状の構造体の二次元的なアレイを含み、前記光学フィルムが、前記二次元的なアレイを含む前記第２の表面の光学的特徴とは異なる光学的特徴を有する基板部分を含み、この光学装置を通過する光が少なくとも約１．１の光学利得を示す光学装置。
【請求項２】
前記第２の表面が、少なくとも２つの異なる半径を有する、複数の密集した実質的に半球形状の構造体を含む、請求項１に記載の光学装置。
【請求項３】
前記基板部分が、偏光フィルム、光拡散フィルム、輝度上昇フィルム、ターニングフィルムまたはその組み合わせの少なくとも１つを含む、請求項１に記載の光学装置。
【請求項４】
前記二次元的なアレイが実質的に同じ半径を有する複数の密集した実質的に半球形状の構造体を含む、請求項１に記載の光学装置。
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
白金含有触媒を含み、かつ該白金含有触媒への接近を可能にする１つ以上のポートを含む燃料電池スタックから白金金属を回収する方法であって、該ポートの少なくとも１つに酸化性酸性溶液を導入する工程を含み、該白金含有触媒の電解を含まない、方法。
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
放電ランプを作動させる方法であって、
前記放電ランプは、所定の距離に配置された少なくとも２つの電極を備え、前記電極の間でアークを発生させるための放電容器を備え、
前記ランプをスイッチオフする前にスイッチオフシーケンスに従って前記ランプを作動させ、前記スイッチオフシーケンスは、電力傾斜関数インターバルを備え、この電力傾斜関数インターバル中に、時間に対して増加する電力により前記ランプを作動させる、放電ランプを作動させる方法。
【請求項２】
前記電力傾斜関数インターバルは、５秒〜３０分の時間である請求項１記載の方法。
【請求項３】
前記電力傾斜関数インターバルの間に、前記ランプの公称電力ＰNの０.０１％〜５０％だけ前記電力を増加する請求項１又は２に記載の方法。
【請求項４】
前記電力傾斜関数インターバルの間で前記電力の増加が前記電力関数インターバルの時間の秒当たりの前記ランプの公称電力の５×１０-5％〜１０％である請求項１乃至３の何れか１項に記載の方法。
【請求項５】
前記ランプに印加される電圧を測定し、
前記電力傾斜関数インターバルの間に前記電圧が所定の値に達するまで、または所定の時間中、または最大電力値に達するまで電力を増加する請求項１乃至４の何れか１項に記載の方法。
【請求項６】
所定の距離に配置された少なくとも２つの電極を有し、これら電極の間にアークを発生するための、放電容器を備えた放電ランプと、
電力により前記ランプを作動させるためのドライブ手段とを備え、前記ドライブ手段は前記ランプをスイッチオフする前にスイッチオフシーケンスに従って前記ランプを作動させるようになっており、前記スイッチオフシーケンスは、
時間に対して電力を増加しながら、前記ランプを作動させる電力傾斜関数インターバルを備え、
前記インターバルの後で前記ランプをスイッチオフする照明アセンブリ。
【請求項７】
前記照明アセンブリは更に、
前記スイッチオフシーケンスを開始するための入力手段を備え、前記入力手段が附勢されると、前記スイッチオフシーケンスが開始される請求項６に記載の照明アセンブリ。
【請求項８】
前記照明アセンブリは更に、
前記ランプから放出される光をブロックするためのシャッター手段を備え、
前記スイッチオフシーケンスの開始時またはそのスイッチオフシーケンス中に前記シャッター手段を作動させる請求項６又は７に記載の照明アセンブリ。
【請求項９】
放電ランプを作動させるための方法であり、
前記放電ランプが、所定の距離に配置された少なくとも２つの電極を有し、これら電極の間にアークを発生するための、放電容器を備え、
前記ランプをターンオンした後でターンオンシーケンスに従って作動させ、前記シーケンスは、
前記ランプの公称電力未満である初期最大電力値まで増加する電力により、前記ランプを作動させる第１ターンオンインターバルと、
前記初期最大電力値から前記公称電力まで、時間に対して増加する電力により前記ランプを作動させる電力傾斜関数インターバルとを含む放電ランプを作動させるための方法。
【請求項１０】
前記初期最大電力値は、前記公称電力の５０％〜９９％に対応する、請求項９記載の方法。
【請求項１１】
所定の距離に配置された少なくとも２つの電極を有し、これら電極の間にアークを発生するための、放電容器を備えた放電ランプと、
電力により前記ランプを作動させるためのドライブ手段とを備え、
前記ドライブ手段は、前記ランプをターンオンした後に、ターンオンシーケンスに従って前記ランプを作動させ、前記ターンオンシーケンスは、
前記ランプの公称電力未満である初期最大電力値まで増加する電力により、前記ランプを作動させる第１ターンオンインターバルと、
前記電力傾斜関数インターバルの間に前記初期最大電力値から前記公称電力まで、時間に対して増加する電力により前記ランプを作動させる電力傾斜関数インターバルとを含む照明アセンブリ。
【請求項１２】
前記放電ランプは、高圧水銀蒸気放電ランプであり、前記放電容器は１００バールよりも大きい作動圧力の水銀を含む請求項６乃至８及び１１の何れか１項に記載の照明アセンブリ。
【請求項１３】
前記電極の間の前記距離は、３.５ｍｍ未満、好ましくは２.５ｍｍ未満である請求項６乃至８、１１及び１２の何れか１項に記載の照明アセンブリ。
【請求項１４】
電力をランプのターミナルに供給するためのドライブ手段を備え、
スイッチオフ信号を受信した後に、前記ドライブ手段はスイッチオフシーケンスに従って電力を供給し、前記スイッチオフシーケンスは、
前記ターミナルに供給される電力が時間と共に増加する電力傾斜関数インターバルを含み、
前記インターバルの後で前記ターミナルにおける電力をスイッチオフする放電ランプのためのドライバー回路。
【請求項１５】
電力をランプのターミナルに供給するためのドライブ手段を備え、
スイッチオン信号を受信した後に、前記ドライブ手段はスイッチオンシーケンスに従って電力を供給し、前記スイッチオンシーケンスは、
初期最大電力値まで、前記ターミナルで供給される電力を増加する第１ターンオンインターバルを含む、放電ランプのためのドライバー回路。
【請求項１６】
請求項６乃至８、及び、請求項１１乃至１３の何れか１項に記載の照明アセンブリ、または請求項１４又は１５に記載のドライバー回路を含むプロジェクタシステム。
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
少なくとも１本のランプ（１１４）に電力を供給するように設計された安定器（１００）であって、
少なくとも１つの電源から交流を受電し、前記交流を直流に変換するように構成されたアクティブ力率補正（ＰＦＣ）回路（１０６）と、
前記力率補正回路（１０６）の動作を制御するように構成された集積チップ（１１０）と、
前記集積チップ（１１０）に電力を供給するように構成された電源構成要素（１０２）と
を備え、
前記電源構成要素（１０２）は、安定器（１００）の全点弧時間を短縮するために加速電源回路（１１２、２０２）を使用する安定器（１００）。
【請求項２】
前記少なくとも１つの電源（１０２）から信号を受信し出力を前記ＰＦＣ回路（１０６）に供給する電磁障害フィルタ（１０４）をさらに備える請求項１記載のシステム。
【請求項３】
前記ＰＦＣ回路（１０６）からの出力を受電する電流給電インバータ（１０８）をさらに備え、
前記電流給電インバータ（１０８）は、ハーフブリッジ電流給電インバータ、電流給電プッシュプルインバータ、ハーフブリッジ電圧給電インバータおよびフルブリッジ電圧給電インバータのうちの１つである請求項１記載のシステム。
【請求項４】
前記ＰＦＣ回路（１０６）から信号を受信し前記ランプ（１１４）の光出力中の明暗勾配差を除去するストリエーション制御構成要素（１２０）をさらに備え、
前記ストリエーション制御構成要素（１２０）は偶高調波注入を使用する請求項１記載のシステム。
【請求項５】
前記ＰＦＣ回路（１０６）から信号を受信し前記ランプ（１１４）の陰極に予熱電流がどれくらいの間印加されるべきか時間を決めるように構成された開放電圧／予熱タイミング構成要素（１１６）をさらに備える請求項１記載のシステム。
【請求項６】
前記少なくとも１本のランプ（１１４）を点孤させ定常状態で動作させるために動作電圧が印加されるに先立って、予熱電流を前記少なくとも１本のランプ（１１４）に印加するように構成された陰極電流コントローラ（１１８）をさらに備える請求項１記載のシステム。
【請求項７】
前記安定器（１００）に接続された各ランプ（１１４）が互いから独立に動作できるように設計されたバッファ回路をさらに備える請求項１記載のシステム。
【請求項８】
前記陰極電流は陰極温度を熱電子放出温度に至るまで引き上げるために制御され、
前記陰極の前記熱電子放出温度は、冷陰極抵抗に対する最終熱陰極抵抗の比が摂氏約２５度において約５より大きくなるときに到達される請求項１記載のシステム。
【請求項９】
ランプが点孤された後で外部陰極加熱回路の電圧を低減する陰極電圧低減回路をさらに備え、
定常状態動作の間は前記安定器に接続されたランプの本数に関わらず一定の陰極加熱が行われるように前記陰極温度を熱電子温度に至るまで引き上げるように設計された２水準陰極加熱構成（３００）をさらに含む請求項１記載のシステム。
【請求項１０】
前記電源回路は第１キャパシタ（Ｃ１５）と並列に接続されたツェナーダイオード（Ｄ８）をさらに備え、前記第１キャパシタ（Ｃ１５）の一端は第２キャパシタ（Ｃ１０）に他端は第３キャパシタ（Ｃ１１）に接続され、次にインダクタ（Ｔ１）に向かう前記第２（Ｃ１０）キャパシタと第３（Ｃ１１）キャパシタとの間の接続を有し、前記インダクタ（Ｔ１）は第４キャパシタ（Ｃ１６）と抵抗（Ｒ１５）とから成るＲＣ回路に接続され、前記ＲＣ回路の他の側は、前記第２キャパシタ（Ｃ１０）および第３キャパシタ（Ｃ１１）にそれぞれ接続される２つのダイオード（Ｄ５、Ｄ６）に接続される、請求項１記載のシステム。
【請求項１１】
前記少なくとも１つの電源と関連する共振寄生容量によって生成される内部雑音を最小化するように設計された感度抑制構成要素（５００）をさらに備え、
前記共振寄生容量は、配線長と、前記安定器に接続されたランプの本数と、管を収容するために使用される器具の形式と、のうちの少なくとも１つによって引き起こされる請求項１記載のシステム。
【請求項１２】
前記予熱フェーズおよび正規点灯フェーズのうちの少なくとも１つのフェーズの間で感度抑制が行われる請求項１１記載のシステム。
【請求項１３】
安定器（１００）に接続された少なくとも１本のランプ（１１４）の陰極電圧を制御する方法であって、
電源（１０２）から電力を受電する段階と、
陰極温度を熱電子加熱温度に至るまで引き上げるために陰極電流を制御する段階と、
前記少なくとも１本のランプ（１１４）を点孤させる段階と、
前記少なくとも１本のランプと関連する少なくとも１つの陰極の電圧レベルを低減させる段階と
を含む方法。
【請求項１４】
前記電源（１０２）から受電した前記電力の力率を補正する段階と、
前記電源（１０２）から受電した前記電力の前記力率の前記補正を制御する段階をさらに含む請求項１３記載の方法。
【請求項１５】
前記少なくとも１本のランプと関連する１つまたは複数の寄生容量の影響から前記安定器（１００）を感度抑制する段階をさらに含む請求項１３記載の方法。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
紫外線輻射を発生及び放出する誘電バリア放電（ＤＢＤ）ランプであって、
収容された放電ギャップを備え、ハウジングが少なくとも２つの壁を有し、少なくともひとつの壁は誘電性の壁であり、少なくともひとつの壁は少なくとも部分的に透明な部分を有し、
前記放電ギャップ内に配置された充填物と、
少なくとも２つの壁に関連して電気接続するための少なくとも２つの電気接続手段と備え、
前記放電ギャップは、少なくとも２つの放電サブ空間、及び／又は放電サブ領域から形成され、少なくとも２つの支配的放出方式、及び／又は、異なる放出強度をもつひとつの放出方式を実現するために少なくともひとつのそれらの放電パラメータが異なっている、
ことを特徴とするＤＢＤランプ。
【請求項２】
電気接続手段は、対電極を備え、この対電極は、電気を接地できるように少なくとも部分的に金属材料から作られている、
請求項１に記載のＤＢＤランプ。
【請求項３】
少なくとも２つのサブ空間は、少なくともひとつのそれらの特性パラメータが異なり、サブ空間内の体積放電を改変できる、
請求項１又は２に記載のＤＢＤランプ。
【請求項４】
特性パラメータは、充填ガス圧、充填ガス組成、および、サブ空間の長さ、サブ空間の直径、サブ空間の幅、サブ空間の形状、サブ空間のギャップ距離、サブ空間の壁厚、サブ空間の外側電極からなる、サブ空間の幾何学形状から構成されている、
請求項３に記載のＤＢＤランプ。
【請求項５】
少なくとも２つのサブ領域は、少なくともひとつのそれらの特性パラメータが異なり、放電ギャップ内の堆積輻射を蛍光層内の表面輻射に変換できる、
請求項１に記載のＤＢＤランプ。
【請求項６】
特性パラメータは、蛍光層、およびサブ領域の長さ、サブ領域の直径、サブ領域の幅からなるサブ領域の幾何学形状から構成されている、
請求項５に記載のＤＢＤランプ。
【請求項７】
ＤＢＤランプの生産方法であって、すべての単一の部品を一緒に生産及び配置する段階を備え、すべての単一の部品を一緒に生産及び配置する段階は、少なくとも２つの支配的放出方式、及び／又は、異なる放出強度をもつひとつの放出方式を実現するために、サブ放電体積及びサブ放電領域を形成する段階を備え、セグメント化されたＤＢＤランプが実現される、
ことを特徴とする方法。
【請求項８】
前記形成する段階が、技術的なグループから選択された放電サブ空間及び／又は放電サブ領域を形成する適当な方法を備え、
異なった寸法の石英部品をまとめて、放電に使用される体積を構築する段階と、
部分的なコーティング技術を使用する段階と、
ランプ内に閉じたサブ空間を実現し、閉じたサブ空間を異なる組成及び／又は異なるガス圧にて充填する段階と、
ランプ本体に構造化された金属被覆を実現する段階と、
ランプ本体に構造化された電極を実現する段階と、を備えている、
請求項７に記載の方法。
【請求項９】
請求項１ないし８のいずれか１項に記載のＤＢＤランプを組み込まれたシステムであって、１又は複数の以下の用途に使用され、かかる用途は、
好ましくはクリーニング、殺菌及び／又は浄化のための、流体、及び／又は、硬質及び／又は軟質の表面の処理、
液体の殺菌及び／又は浄化、
食物及び／又は飲料の処置及び／又は殺菌、
水の処理及び／又は殺菌、
廃水の処理及び／又は殺菌、
飲料水の処理及び／又は殺菌、
水道水の処理及び／又は殺菌、
超純水の生産、
液体又はガスの合計有機炭素含有量の減少、
ガスの処理及び／又は殺菌、
空気の処理及び／又は殺菌、
排気ガスの処理及び／又はクリーニング、
好ましくは無機の及び／又は有機の化合物における化合物の分解及び／又は除去、
半導体の表面のクリーニング、
半導体の表面からの化合物の分解及び／又は除去、
食品サプリメントのクリーニング及び／又は殺菌、
薬品のクリーニング及び／又は殺菌、
であることを特徴とするシステム。
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
少なくとも２つの記録層を備え、
各記録層は、インナー領域（ｉｎｎｅｒ  ａｒｅａ）、データ領域及びアウター領域（ｏｕｔｅｒ  ａｒｅａ）とで構成され、
前記記録層の前記インナー領域及びアウター領域のうちの少なくとも一つの領域内に少なくとも一つのテスト領域を備えており、
隣接した前記記録層内に備えられる各テスト領域は、光ビームの進行方向を基準に物理的に同じ位置に備えられないことを特徴とする、記録媒体。
【請求項２】
複数の記録層内に割り当てられる全てのテスト領域が、光ビームの進行方向を基準に物理的に同じ位置に備えられないことを特徴とする、請求項１に記載の記録媒体。
【請求項３】
各記録層別に割り当てられるテスト領域は、データ領域から順次に遠ざかることを特徴とする、請求項２に記載の記録媒体。
【請求項４】
各記録層別割り当てられるテスト領域は、データ領域へ順次に近づくことを特徴とする、請求項２に記載の記録媒体。
【請求項５】
第ｎ記録層と第（ｎ＋２）記録層に割り当てられるテスト領域は、光ビームの進行方向を基準に物理的に同じ位置に備えられ、
第（ｎ＋１）記録層と第（ｎ＋３）記録層に割り当てられるテスト領域は、光ビームの進行方向を基準に物理的に同じ位置に備えられ、
全てのテスト領域の割当がジグザグ（ｚｉｇ  ｚａｇ）方式でなされることを特徴とする、請求項１に記載の記録媒体。
【請求項６】
各記録層に割り当てられるテスト領域は、ランダム（ｒａｎｄｏｍ）に割り当てられることを特徴とする、請求項１に記載の記録媒体。
【請求項７】
前記インナー領域及びアウター領域のうちの少なくとも一つの領域内には、前記割り当てられたテスト領域を管理する管理情報が記録される管理情報領域をさらに含むことを特徴とする、請求項１に記載の記録媒体。
【請求項８】
前記テスト領域を管理する管理情報が記録される管理情報領域は、ＤＭＡ（Ｄｉｓｃ  
Ｍａｎａｇｅｍｅｎｔ  Ａｒｅａ  ｏｒ  Ｄｅｆｅｃｔ  Ｍａｎａｇｅｍｅｎｔ  Ａｒｅａ）であることを特徴とする、請求項７に記載の記録媒体。
【請求項９】
前記テスト領域の管理情報は、記録層内に割り当てられたテスト領域の位置情報であることを特徴とする、請求項７に記載の記録媒体。
【請求項１０】
前記テスト領域の管理情報は、各テスト領域内の使用可能な位置情報であることを特徴とする、請求項７に記載の記録媒体。
【請求項１１】
複数の記録層を備えた記録媒体にデータを記録する方法において、
ａ）前記記録媒体内の各記録層内に割り当てられるものの、隣接した記録層間には光ビームの進行方向を基準に物理的に同じ位置に備えられないテスト領域の少なくとも一つの位置情報を読み取る段階と、
ｂ）前記読み取られた位置情報から確認されたテスト領域内で、最適記録パワーを算出するためのテスト過程を行う段階と、
ｃ）前記算出された最適記録パワーを適用して前記記録媒体内に記録を行う段階と、
を含んでなることを特徴とする、記録媒体記録方法。
【請求項１２】
読み取る段階では、前記記録媒体内の管理領域から前記テスト領域の前記位置情報が読み取られることを特徴とする、請求項１１に記載の記録媒体記録方法。
【請求項１３】
次に使用可能なテスト位置のために前記位置情報を更新する段階を更に備えることを特徴とする、請求項１１に記載の記録媒体記録方法。
【請求項１４】
複数の記録層を備えた記録媒体にデータを記録する装置において、
記録命令を伝達するように構成された制御部と、
前記制御部から前記記録命令を受信し、前記記録媒体内の各記録層内に割り当てられるものの、隣接した記録層間には光ビームの進行方向を基準に物理的に同じ位置に備えられないテスト領域の少なくとも一つの位置情報を読み取り、前記読み取られた位置情報から確認されたテスト領域内で、最適記録パワーを算出するためのテスト過程を行い、前記算出された最適記録パワーを適用して前記記録媒体内に記録を行うように構成された記録再生部と、
を備え、
前記記録再生部は前記制御部からの前記記録命令に応じて前記データを記録するように構成されていることを特徴とする、記録媒体記録装置。
【請求項１５】
前記記録媒体に記録される入力信号をエンコーディングするように構成されたエンコーダを更に備えることを特徴とする、請求項１４に記載の記録媒体記録装置。
【請求項１６】
複数の記録層を備えた記録媒体にデータを記録する装置において、
前記記録媒体からデータを読み取る又は前記記録媒体にデータを記録するピックアップ部と、
前記記録媒体内の各記録層内に割り当てられるものの、隣接した記録層間には光ビームの進行方向を基準に物理的に同じ位置に備えられないテスト領域の少なくとも一つの位置情報を前記ピックアップ部が読み取るように制御し、前記読み取られた位置情報から確認されたテスト領域内で、最適記録パワーを算出するためのテスト過程を行い、前記算出された最適記録パワーを適用して前記記録媒体内に記録を行うように構成された制御部と、
を備え、
前記制御部は、前記位置情報に基づいて前記テスト領域を特定し、前記ピックアップ部が前記テスト領域に移動するように前記ピックアップ部を制御して、前記最適記録パワーを算出するように構成されていることを特徴とする、記録媒体記録装置。
【請求項１７】
前記制御部は、前記ピックアップ部がＤＭＡ（ディスク管理領域（Ｄｉｓｃ  Ｍａｎａｇｅｍｅｎｔ  Ａｒｅａ）又は欠陥管理領域（Ｄｅｆｅｃｔ  Ｍａｎａｇｅｍｅｎｔ  Ａｒｅａ））から前記位置情報を読み取るように前記ピックアップ部を制御するように構成されていることを特徴とする、請求項１６に記載の記録媒体記録装置。
【請求項１８】
前記制御部は、次に使用可能なテスト位置のために前記位置情報を更新するように更に構成されていることを特徴とする、請求項１６に記載の記録媒体記録装置。
【請求項１９】
前記読み取られた位置情報を保存するように構成されたメモリを更に備えることを特徴とする、請求項１６に記載の記録媒体記録装置。